【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
カードの真正の所有者を認証するための認証カードであって、
変形認証画像が印刷されたカード表面、又は前記変形認証画像が記録された記録手段を備え、
前記変形認証画像は、認証画像の特徴的構成を部分的に定義した特徴情報と、当該認証画像とは異なる目標画像の特徴的構成を部分的に定義した目標特徴情報とに基づいて、前記認証画像の前記特徴的構成に該当する部分を前記目標画像の前記特徴的構成における対応部分へと所定の変形率に応じて画像モーフィング処理することにより変形された画像であり、
カード認証端末において、前記目標特徴情報と、前記変形認証画像の特徴的構成を部分的に定義した変形特徴情報とに基づいて、前記変形認証画像の前記特徴的構成に該当する部分を前記目標画像の前記特徴的構成における対応部分へと前記変形率に応じて逆画像モーフィング処理することにより、前記認証画像が復元されること
を特徴とする認証カード。
【請求項２】
認証カードの真正の所有者を認証するためのカード認証端末であって、
前記認証カードは、カード表面に印刷され又は、記録手段に記録された変形認証画像を有し、
前記変形認証画像は、認証画像の特徴的構成を部分的に定義した特徴情報と、当該認証画像とは異なる目標画像の特徴的構成を部分的に定義した目標特徴情報とに基づいて、前記認証画像の前記特徴的構成に該当する部分を前記目標画像の前記特徴的構成における対応部分へと所定の変形率に応じて画像モーフィング処理することにより変形された画像であり、
前記認証カードから前記変形認証画像の読み取りを行う画像読取手段と、
前記目標特徴情報と、前記変形認証画像の特徴的構成を部分的に定義した変形特徴情報とに基づいて、前記画像読取手段により読み取られた前記変形認証画像の前記特徴的構成に該当する部分を、前記目標画像の前記特徴的構成における対応部分へと前記変形率に応じて逆画像モーフィング処理することにより、前記認証画像を復元する画像処理手段と
を備えたことを特徴とするカード認証端末。
【請求項３】
ネットワークを介してカード認証サーバと情報の送受信を行うことが可能な端末通信手段を有し、
前記カード認証サーバには、前記変形認証画像、前記変形特徴情報、前記目標画像、前記目標特徴情報および前記変形率のうち少なくとも１つ以上の情報が画像復元鍵情報として記録され、
前記端末通信手段は、前記カード認証サーバに記録される前記画像復元鍵情報を取得し、
前記画像処理手段は、前記端末通信手段により取得された前記画像復元鍵情報を利用して前記認証画像の復元を行うこと
を特徴とする請求項２に記載のカード認証端末。
【請求項４】
ネットワークを介してカード認証サーバと情報の送受信を行うことが可能な端末通信手段と、
前記目標画像を含む複数の画像からなる目標画像集が記録された画像記録手段を有し、
前記カード認証サーバには、前記変形認証画像、前記変形特徴情報、前記目標特徴情報および前記変形率のうち少なくとも１つ以上の情報が画像復元鍵情報として記録されると共に、前記画像記録手段に記録された前記目標画像集の中から前記目標画像を特定するために必要とされる特定情報が記録され、
前記端末通信手段は、前記カード認証サーバより、前記画像復元鍵情報と前記特定情報とを取得し、
前記画像処理手段は、前記端末通信手段により取得された前記特定情報に基づいて前記目標画像集から前記目標画像を特定し、特定された目標画像と、前記カード認証サーバより取得された前記画像復元鍵情報とを利用して前記認証画像の復元を行うこと
を特徴とする請求項２に記載のカード認証端末。
【請求項５】
カード認証端末で認証カードの真正の所有者を認証するために用いられる情報を保有するカード認証サーバであって、
前記認証カードは、カード表面に印刷され又は、記録手段に記録された変形認証画像を有し、
前記変形認証画像は、認証画像の特徴的構成を部分的に定義した特徴情報と、当該認証画像とは異なる目標画像の特徴的構成を部分的に定義した目標特徴情報とに基づいて、前記認証画像の前記特徴的構成に該当する部分を前記目標画像の前記特徴的構成における対応部分へと所定の変形率に応じて画像モーフィング処理することにより変形された画像であり、
前記カード認証端末で認証カードの真正の所有者を認証するために用いられる情報は、前記変形認証画像の特徴的構成を部分的に定義した変形特徴情報、前記目標画像、前記目標特徴情報および前記変形率のうち少なくとも１つ以上の情報であって、
前記カード認証サーバは、
前記カード認証端末で認証カードの真正の所有者を認証するために用いられる情報を画像復元鍵情報として記録する鍵情報記録手段と、
該鍵情報記録手段に記録される前記画像復元鍵情報を、ネットワークを介して前記カード認証端末に対して送信することが可能なサーバ通信手段と
を備え、
前記カード認証端末において、前記サーバ通信手段を介して取得された前記画像復元鍵情報を利用することにより、前記目標特徴情報と前記変形特徴情報とに基づいて、前記変形認証画像の前記特徴的構成に該当する部分を前記目標画像の前記特徴的構成における対応部分へと前記変形率に応じて逆画像モーフィング処理が行われて、前記認証カードの真正の所有者の認証画像が復元されること
を特徴とするカード認証サーバ。
【請求項６】
前記目標画像を含む複数の画像からなる目標画像集の生成を行う目標画像集生成手段と、
前記目標画像集に含まれる画像の順番を前記カード認証端末に対応付けて置換変換させる置換変換手段と、
前記目標画像集に含まれる置換変換された複数の画像の中から、前記目標画像を特定することが可能な特定情報を、前記カード認証端末に対応付けて記録する特定情報記録手段とを有し、
前記サーバ通信手段は、前記目標画像集生成手段により生成された前記目標画像集を、定期的に前記カード認証端末へ送信し、また、前記カード認証端末からの要求に応じて前記特定情報を当該カード認証端末に送信すること
を特徴とする請求項５に記載のカード認証サーバ。
【請求項７】
カードの表面に印刷され、又は記録手段に記録された変形認証画像を保持する認証カードと、
前記認証カードの真正の所有者を認証するカード認証端末とを備え、
前記認証カードに保持される変形認証画像は、認証画像の特徴的構成を部分的に定義した特徴情報と、当該認証画像とは異なる目標画像の特徴的構成を部分的に定義した目標特徴情報とに基づいて、前記認証画像の前記特徴的構成に該当する部分を前記目標画像の前記特徴的構成における対応部分へと所定の変形率に応じて画像モーフィング処理することにより変形された画像であり、
前記カード認証端末は、
前記認証カードから当該変形認証画像の読み取りを行う画像読取手段と、
前記目標特徴情報と、前記変形認証画像の特徴的構成を部分的に定義した変形特徴情報とに基づいて、前記画像読取手段により読み取られた前記変形認証画像の前記特徴的構成に該当する部分を、前記目標画像の前記特徴的構成における対応部分へと前記変形率に応じて逆画像モーフィング処理することにより、前記認証画像を復元する画像処理手段とを有する
ことを特徴とするカード認証システム。
【請求項８】
前記変形特徴情報、前記目標画像、前記目標特徴情報および前記変形率のうち少なくとも１つ以上の情報を、画像復元鍵情報として記録する鍵情報記録手段と、
該鍵情報記録手段に記録される前記画像復元鍵情報を、ネットワークを介して前記カード認証端末に対して送信することが可能なサーバ通信手段と
を有するカード認証サーバを備え、
前記カード認証端末は、前記カード認証サーバと情報の送受信を行うことが可能な端末通信手段を有し、
前記カード認証端末の前記画像処理手段は、前記端末通信手段によって前記カード認証サーバより取得された前記画像復元鍵情報を利用することにより、前記認証画像を復元すること
を特徴とする請求項７に記載のカード認証システム。
【請求項９】
前記変形認証画像の特徴的構成を部分的に定義した変形特徴情報と、前記目標特徴情報、前記変形率のうち少なくとも１つ以上の情報を、画像復元鍵情報として記録する鍵情報記録手段と、
該鍵情報記録手段に記録される前記画像復元鍵情報を、ネットワークを介して前記カード認証端末に対して送信することが可能なサーバ通信手段と
を有するカード認証サーバを備え、
前記カード認証端末は、
前記カード認証サーバと情報の送受信を行うことが可能な端末通信手段と、
前記目標画像を記録する画像記録手段とを有し、
前記カード認証端末の前記画像処理手段は、前記画像記録手段に記録された前記目標画像と、前記端末通信手段によって前記カード認証サーバより取得された前記画像復元鍵情報とを利用することにより、前記認証画像を復元すること
を特徴とする請求項７に記載のカード認証システム。
【請求項１０】
前記カード認証サーバは、
前記目標画像を含む複数の画像からなる目標画像集の生成を行う目標画像集生成手段と、
前記目標画像集に含まれる画像の順番を前記カード認証端末に対応付けて置換変換させる置換変換手段と、
前記目標画像集に含まれる置換変換された複数の画像の中から前記目標画像を特定することが可能な特定情報を、前記カード認証端末に対応付けて記録する特定情報記録手段とを有し、
前記サーバ通信手段は、前記目標画像集生成手段により生成された前記目標画像集を、定期的に前記カード認証端末へ送信し、また、前記カード認証端末からの要求に応じて前記特定情報を当該カード認証端末に送信し、
前記端末通信手段は、前記サーバ通信手段により送信される前記目標画像集を定期的に取得して前記画像記録手段に記録し、また、要求に応じて前記サーバ通信手段より送信される前記特定情報を取得し、
前記カード認証端末の前記画像処理手段は、取得された特定情報に基づいて前記目標画像集から前記目標画像を特定し、特定された目標画像を利用して前記認証画像の復元を行うこと
を特徴とする請求項９に記載のカード認証システム。